(57)【要約】【課題】袋体５の注ぎ口７にお湯を注ぐ間、袋体５の注ぎ口７の開口形状を一定の形状に保って、飲料者によるコーヒーの抽出作業の煩雑化を抑えること。【解決手段】抽出原料を内包した袋体５はひねった状態で注ぎ口７を閉じてあって、第１懸架部材９と第２懸架部材１５の並行状態、第１補強部材２１と第２補強部材２３の並行状態を保ちつつ、第１懸架部材９を袋体５のひねりを解く方向へ第２懸架部材１５に対して相対的に移動させることによって袋体５の注ぎ口７が矩形形状に開放するようになっていること。【選択図】図１
2010011933.tif 000002
【特許請求の範囲】
【請求項１】
カップ内に飲料をドリップ式により抽出する際に用いられるドリップバッグにおいて、
上端側に注ぎ口を有し、ひねった状態で前記注ぎ口を閉じてあって、透水性材料により構成され、抽出原料を内包した袋体と、
前記袋体の上端部に設けられ、端部に前記カップの周縁部に係止可能な第１係止爪が形成された第１懸架部材と、
前記袋体の上端部における前記第１懸架部材の反対側に設けられ、端部に前記カップの周縁部に係止可能な第２係止爪が形成され、前記第１懸架部材と協働して前記袋体を前記カップに懸架する第２懸架部材と、
前記第１懸架部材と前記第２懸架部材の間における前記袋体の一方側に設けられた第１補強部材と、
前記懸架部材と前記第２懸架部材の間における前記袋体の他方側に設けられた第２補強部材と、を備え、
前記第１懸架部材と前記第２懸架部材の並行状態、前記第１補強部材と前記第２補強部材の並行状態を保ちつつ、前記第１懸架部材を前記袋体のひねりを解く方向へ前記第２懸架部材に対して相対的に移動させることによって前記袋体の前記注ぎ口が開放するようになっていることを特徴とするドリップバッグ。
【請求項２】
前記第１係止爪は、前記第１懸架部材の両端部にそれぞれ形成され、
前記第２係止爪は、前記第２懸架部材の両端部にそれぞれ形成され、
前記第１補強部材は、前記第１懸架部材と前記第２懸架部材を連結するよう設けられ、
前記第２補強部材は、前記第１懸架部材と前記第２懸架部材を連結するよう設けられていることを特徴とする請求項１に記載のドリップバッグ。
【請求項３】
前記第１補強部材は、前記第１懸架部材と前記第２懸架部材を連結するように設けられ、前記袋体に接合してあって、
前記第２補強部材は、前記袋体に接合してあって、
更に、前記第１補強部材に一体に形成され、前記カップの周縁部に係止可能なトレイと、
前記トレイの内側に設けられ、飲料の抽出後に前記袋体から漏出した水分を吸収する吸水シート部材と、を備えたことを特徴とする請求項１に記載のドリップバッグ。
【請求項４】
前記吸水シート部材は、不織布シートと、該不織布シートを両側から挟むように設けられたチタンを含有の一対のポリエチレンシートとからなることを特徴とする請求項３に記載のドリップバッグ。
【請求項５】
前記袋体は、ガゼットタイプであることを特徴とする請求項１から請求項４のうちのいずれかの請求項に記載のドリップバッグ。
【請求項６】
前記抽出原料は、コーヒー粉又は茶葉であることを特徴とする請求項１から請求項５のうちのいずれかの請求項に記載のドリップバッグ。
【発明の詳細な説明】
【技術分野】
【０００１】
本発明は、カップ内にコーヒー等の飲料をドリップ式により抽出する際に用いられるドリップバッグに関する。
【背景技術】
【０００２】
近年、ドリップ式のコーヒーメーカーを簡易にしたものとしてドリップバッグが広く市場に多く出回っており、このドリップバッグは、カップ内にコーヒーをドリップ式により抽出する際に用いるものであって、一般的なドリップバッグな構成等は、次のようになる。
【０００３】
即ち、一般的なドリップバッグは、抽出原料としてのコーヒー粉を内包した袋体を備えており、この袋体は、透水性材料からなるものである。また、袋体は、上端側に、注ぎ口を有している。
【０００４】
袋体の上端部には、第１懸架部材が設けられており、この第１懸架部材の適宜位置には、カップの周縁部に係止可能な第１係止爪が形成されている。また、袋体の上端部における第１懸架部材の反対側には、第１懸架部材と協働して袋体をカップに懸架する第２懸架部材が設けられており、この第２懸架部材の適宜位置には、カップの周縁部に係止可能な第２係止爪が形成されている。
【０００５】
第１懸架部材と第２懸架部材の間における復隊の一方側には、第１補強部材（第１連結部材）が第１懸架部材と第２懸架部材を連結するように設けられており、この第１補強部材は、折れ線を基準として折り込まれている。また、第１懸架部材と第２懸架部材の間における袋体の他方側には、第２補強部材（第２補強部材）が第１懸架部材と第２懸架部材を連結するように設けられており、この第２補強部材は、折れ線を基準として折り込まれている。
【０００６】
そして、一般的なドリップバッグにあっては、第１懸架部材と第２懸架部材の並行状態を保ちつつ、第１補強部材及び第２補強部材をそれぞれ折れ線から開く（開くように変形させる）ことによって袋体の注ぎ口が開放するようになっている。
【０００７】
従って、袋体の注ぎ口を開放して、第１懸架部材の第１係止爪及び第２懸架部材の第２係止爪をカップの周縁部にそれぞれ係止させることにより、ドリップバッグをカップにセットする。そして、袋体の注ぎ口にお湯を注ぐことにより、カップ内にドリップ式によりコーヒーを抽出することができる。
【０００８】
なお、本発明に関連する先行技術として特許文献１から特許文献３に示すものがある。
【特許文献１】特開２００４−２３０１４３号公報
【特許文献２】特開２００４−２０８９０６号公報
【特許文献３】実開平６−６２９３９号公報
【発明の開示】
【発明が解決しようとする課題】
【０００９】
ところで、前述の一般的なドリップバッグにあっては、第１補強部材及び第２補強部材をそれぞれ折れ線から開くことによって袋体の注ぎ口が開放するようになっているため、袋体の注ぎ口にお湯を注ぐ間、第１補強部材又は第２補強部材が折れ線から折れ曲がるように変形して、袋体の注ぎ口の開口形状を一定に保つことができなくなる。そのため、飲料者によるコーヒーの抽出作業が煩雑化して、ドリップバッグの取扱性・利便性を十分に高めることが困難であるという問題がある。
【００１０】
そこで、本発明は、前述の問題を解決することができる、新規な構成のドリップバッグを提供することを目的とする。
【課題を解決するための手段】
【００１１】
本発明の第１の特徴（請求項１に記載の発明の特徴）は、カップ内に飲料をドリップ式により抽出する際に用いられるドリップバッグにおいて、上端側に注ぎ口を有し、ひねった状態で前記注ぎ口を閉じてあって、透水性材料により構成され、抽出原料を内包した袋体と、前記袋体の上端部（上部）に設けられ、端部に前記カップの周縁部に係止可能な第１係止爪が形成された第１懸架部材と、前記袋体の上端部における前記第１懸架部材の反対側に設けられ、端部に前記カップの周縁部に係止可能な第２係止爪が形成され、前記第１懸架部材と協働して前記袋体を前記カップに懸架する第２懸架部材と、前記第１懸架部材と前記第２懸架部材の間における前記袋体の一方側に設けられた第１補強部材と、前記懸架部材と前記第２懸架部材の間における前記袋体の他方側に設けられた第２補強部材と、を備え、前記第１懸架部材と前記第２懸架部材の並行状態、前記第１補強部材と前記第２補強部材の並行状態を保ちつつ、前記第１懸架部材を前記袋体のひねりを解く方向へ前記第２懸架部材に対して相対的に移動させることによって前記袋体の前記注ぎ口が開放するようになっていることを要旨とする。
【００１２】
第１の特徴によると、前記袋体の前記注ぎ口を開放して、前記第１懸架部材の前記第１係止爪及び前記第２懸架部材の前記第２係止爪を前記カップの周縁部にそれぞれ係止させることにより、前記ドリップバッグを前記カップにセットする。そして、前記袋体の前記注ぎ口にお湯を注ぐことにより、前記カップ内にドリップ式により飲料を抽出することができる。
【００１３】
また、前記ドリップバッグにあっては、前記第１懸架部材と前記第２懸架部材の並行状態、前記第１補強部材と前記第２補強部材の並行状態を保ちつつ、前記第１懸架部材を前記袋体のひねりを解く方向へ前記第２懸架部材に対して相対的に移動させることによって前記袋体の前記注ぎ口が開放するようになっているため、前記袋体の前記注ぎ口にお湯を注ぐ間、前記第１懸架部材、前記第２懸架部材、前記第１補強部材、及び前記第２補強部材が折れ曲がるように変形することがなく、前記袋体の前記注ぎ口の開口形状を一定に保つことができる。
【００１４】
本発明の第２の特徴（請求項２に記載の発明の特徴）は、第１の特徴に加えて、前記第１係止爪は、前記第１懸架部材の両端部にそれぞれ形成され、前記第２係止爪は、前記第２懸架部材の両端部にそれぞれ形成され、前記第１補強部材は、前記第１懸架部材と前記第２懸架部材を連結するよう設けられ、前記第２補強部材は、前記第１懸架部材と前記第２懸架部材を連結するよう設けられていることを要旨とする。
【００１５】
本発明の第３の特徴（請求項３に記載の発明の特徴）は、第１の特徴に加えて、前記第１補強部材は、前記第１懸架部材と前記第２懸架部材を連結するように設けられ、前記袋体に接合してあって、前記第２補強部材は、前記袋体に接合してあって、更に、前記第１補強部材に一体に形成され、前記カップの周縁部に係止可能なトレイと、前記トレイの内側に設けられ、飲料の抽出後に前記袋体から漏出した水分を吸収する吸水シート部材と、を備えたことを要旨とする。
【００１６】
第３の特徴によると、前記ドリップバッグを前記カップにセットする際に、前記第１懸架部材の前記第１係止爪及び前記第２懸架部材の前記第２係止爪だけでなく、前記トレイを前記カップの周縁部に係止させる。
【００１７】
また、前記飲料の抽出後に、前記第１懸架部材の前記第１係止爪の係止状態、前記第２懸架部材の前記第２係止爪の係止状態、及び前記トレイの係止状態をそれぞれ解除して、前記ドリップバッグを前記カップから取り出す。そして、前記ドリップバッグを前記吸水シート部材に載置（保持）させることにより、前記吸水シート部材によって前記袋体から漏出した水分を吸水する。これにより、前記ドリップバッグを前記カップの近傍の皿等に一時的に置いたり又は前記ドリップバッグをゴミ箱等に捨てたりする場合に、前記袋体に残った水分が漏出して、皿、床等に付着することを十分に抑えることができる。
【００１８】
本発明の第４の特徴（請求項４に記載の発明の特徴）は、第３の特徴に加えて、前記吸水シート部材は、不織布シートと、該不織布シートを両側から挟むように設けられたチタンを含有の一対のポリエチレンシートとからなることを要旨とする。
【００１９】
本発明の第５の特徴（請求項５に記載の発明の特徴）は、第１の特徴から第４の特徴のうちのいずれかの特徴に加えて、前記袋体は、ガゼットタイプであることを要旨とする。
【００２０】
本発明の第６の特徴（請求項６に記載の発明の特徴）は、第１の特徴から第５の特徴のうちのいずれかの特徴に加えて、前記抽出原料は、コーヒー粉又は茶葉であることを要旨とする。
【発明の効果】
【００２１】
請求項１から請求項６のうちのいずれかの請求項に記載の発明によれば、前記袋体の前記注ぎ口にお湯を注ぐ間、前記第１懸架部材等が折れ曲がるように変形することなく、前記袋体の前記注ぎ口の開口形状を一定に保つことができるため、飲料者による前記飲料の抽出作業の煩雑化を抑えて、前記ドリップバッグの取扱性・利便性を十分に高めることができる。
【００２２】
請求項３から請求項６のうちのいずれかの請求項に記載の発明によれば、前記ドリップバッグを前記カップの近傍の皿等に一時的に置いたり又は前記ドリップバッグをゴミ箱等に捨てたりする場合に、前記袋体に残った水分が漏出して、皿、床等に付着することを十分に抑えることができるため、前記飲料の抽出に伴う後処理の簡略化を図って、前記ドリップバッグの取扱性・利便性を更に高めることができる。
【発明を実施するための最良の形態】
【００２３】
（第１実施形態）
第１実施形態について図１から図３を参照して説明する。
【００２４】
ここで、図１及び図２は、第１実施形態に係るドリップバッグの斜視図、図３は、第１実施形態に係るドリップバッグをカップにセットした状態を示す斜視図である。
【００２５】
図１から図３に示すように、第１実施形態に係るドリップバッグ１は、カップ３内にコーヒー（飲料の一例）をドリップ式により抽出する際に用いられるものであって、抽出原料としてのコーヒー粉Ｍを内包したガゼットタイプの袋体５を備えている。また、袋体５は、透水性の不織布又は不織紙（透水性材料の一例）により構成されており、上端側に、注ぎ口を有している。更に、袋体５は、ひねった状態（よじった状態）で注ぎ口を閉じてある。
【００２６】
袋体５の上端部（上部）には、第１懸架部材９が設けられており、この第１懸架部材９は、紙又はプラスチックシート等に構成されている。また、第１懸架部材９は、左右方向（袋体５の幅方向）へ延びてあって、第１懸架部材９の両端部には、カップ３の周縁部に係止可能な第１係止爪１１がそれぞれ形成されている。更に、第１懸架部材９の上側中央部には、第１摘み片１３が形成されている。
【００２７】
袋体５の上端部における第１懸架部材９の反対側には、第１懸架部材９と協働して袋体５をカップ３に懸架する第２懸架部材１５が設けられており、この第２懸架部材１５は、紙又はプラスチックシート等に構成されている。また、第２懸架部材１５は、左右方向へ延びてあって、第２懸架部材１５の両端部には、カップ３の周縁部に係止可能な第２係止爪１７がそれぞれ形成されている。更に、第２懸架部材１５の上側中央部には、第２摘み片１９が形成されている。
【００２８】
第１懸架部材９と第２懸架部材１５の間における袋体５の左方側（一方側）には、第１補強部材２１が第１懸架部材９と第２懸架部材１５を連結するように設けられている。また、第１補強部材２１は、紙又はプラスチックシート等に構成されている。
【００２９】
第１懸架部材９と第２懸架部材１５の間における右方側（他方側）は、第２補強部材２３が第１懸架部材９と第２懸架部材１５を連結するように設けられている。また、第２補強部材２３は、紙又はプラスチックシート等に構成されている。
【００３０】
そして、第１実施形態に係るドリップバッグ１にあっては、第１懸架部材９と第２懸架部材１５の並行状態、第１補強部材２１と第２補強部材２３の並行状態を保ちつつ、第１懸架部材９を袋体５のひねり（よじれ）を解く方向へ第２懸架部材１５に対して相対的に移動させることによって袋体５の注ぎ口７が矩形形状（矩形形状に近似した形状を含む）に開放するようになっている。
【００３１】
続いて、第１実施形態に係るドリップバッグ１の作用及び効果について説明する。
【００３２】
袋体５の注ぎ口７を開放して、第１懸架部材９の一対の第１係止爪１１及び第２懸架部材１５の一対の第２係止爪１７をカップ３の周縁部にそれぞれ係止させることにより、図３に示すように、ドリップバッグ１をカップ３にセットする。そして、袋体５の注ぎ口７にお湯を注ぐことにより、カップ３内にドリップ式によりコーヒーを抽出することができる。
【００３３】
また、ドリップバッグ１にあっては、第１懸架部材９と第２懸架部材１５の並行状態、第１補強部材２１と第２補強部材２３の並行状態を保ちつつ、第１懸架部材９を袋体５のひねりを解く方向へ第２懸架部材１５に対して相対的に移動させることによって袋体５の注ぎ口７が矩形形状に開放するようになっているため、袋体５の注ぎ口７にお湯を注ぐ間、第１懸架部材９、第２懸架部材１５、第１補強部材２１、及び第２補強部材２３が折れ曲がるように変形することがなく、袋体５の注ぎ口７の開口形状を一定の形状（矩形形状）に保つことができる。
【００３４】
以上如き、第１実施形態に係るドリップバッグ１によれば、袋体５の注ぎ口７にお湯を注ぐ間、第１懸架部材９等が折れ曲がるように変形することがなく、袋体５の注ぎ口７の開口形状を一定の形状に保つことができるため、飲料者によるコーヒーの抽出作業の煩雑化を抑えて、ドリップバッグ１の取扱性・利便性を十分に高めることができる。
【００３５】
（第２実施形態）
第２実施形態について図４から図７を参照して説明する。
【００３６】
ここで、図４及び図５は、第２実施形態に係るドリップバッグの斜視図、図６は、第２実施形態に係るドリップバッグをカップにセットした状態を示す斜視図、図７は、コーヒーの抽出後における第２実施形態に係るドリップバッグの斜視図である。
【００３７】
図４から図６に示すように、第２実施形態に係るドリップバッグ２５は、第１実施形態に係るドリップバッグ１（図３参照）と同様に、カップ３内にコーヒー（飲料の一例）をドリップ式により抽出する際に用いられるものであって、抽出原料としてのコーヒー粉Ｍを内包したガゼットタイプの袋体２７を備えている。また、袋体２７は、透水性の不織布又は不織紙（透水性材料の一例）により構成されており、上端側に、注ぎ口２９を有している。更に、袋体２７は、ひねった状態（よじった状態）で注ぎ口２９を閉じてある。
【００３８】
袋体２７の上端部（上部）には、第１懸架部材３１が設けられており、この第１懸架部材３１は、紙又はプラスチックシート等に構成されている。また、第１懸架部材３１は、左右方向（袋体２７の幅方向）へ延びてあって、第１懸架部材３１の先端部には、カップ３の周縁部に係止可能な第１係止爪３３が形成されている。
【００３９】
袋体２７の上端部における第１懸架部材３１の反対側には、第１懸架部材３１と協働して袋体２７をカップ３に懸架する第２懸架部材３５が設けられており、この第２懸架部材３５は、紙又はプラスチックシート等に構成されている。また、第２懸架部材３５は、左右方向へ延びてあって、第２懸架部材３５の先端部には、カップ３の周縁部に係止可能な第２係止爪３７が形成されている。
【００４０】
第１懸架部材３１と第２懸架部材３５の間における袋体２７の左方側（一方側）には、第１補強部材３９が第１懸架部材３１と第２懸架部材３５を連結するように設けられている。また、第１補強部材３９は、紙又はプラスチックシート等に構成されてあって、袋体２７の上端部に熱圧着（接合の１つ）してある。更に、第１懸架部材３１の上側には、摘み片４１が形成されている。なお、第１補強部材３９が袋体２７の上端部に熱圧着してなくても構わない。
【００４１】
第１懸架部材３１と第２懸架部材３５の間における袋体２７の右方側（他方側）には、第２補強部材４３が設けられている。また、第２補強部材４３は、紙又はプラスチックシート等に構成されてあって、袋体２７の上端部に熱圧着してある。なお、第２補強部材４３が第１懸架部材３１と第２懸架部材３５を連結するように設けられてあれば、袋体２７の上端部に熱圧着してなくても構わない。
【００４２】
第１補強部材３９には、トレイ４５が一体に形成されている。また、トレイ４５は、紙からなるものであって、カップ３の周縁部に係止可能である。
【００４３】
トレイ４５の内側には、吸水シート部材４７が熱圧着によって設けられており、この吸水シート部材４７は、コーヒーの抽出後に袋体２７から漏出した水分を吸水するものである。また、吸水シート部材４７は、不織布シートと、不織布シートを両側から挟むように設けられたチタンを含有の一対のポリエチレンシートとからなるものである。なお、吸水シート部材４７は、袋体２７全体を載置（保持）できる程度の大きさになっている。
【００４４】
そして、第２実施形態に係るドリップバッグ２５にあっては、第１懸架部材３１と第２懸架部材３５の並行状態、第１補強部材３９と第２補強部材４３の並行状態を保ちつつ、第１懸架部材３１を袋体２７のひねり（よじれ）を解く方向へ第２懸架部材３５に対して相対的に移動させることによって袋体２７の注ぎ口２９が矩形形状（矩形形状に近似した形状を含む）に開放するようになっている。
【００４５】
続いて、第２実施形態に係るドリップバッグ２５の作用及び効果について説明する。
【００４６】
袋体２７の注ぎ口２９を開放して、第１懸架部材３１の第１係止爪３３、第２懸架部材３５の第２係止爪３７、及びトレイ４５をカップ３の周縁部にそれぞれ係止させることにより、図６に示すように、ドリップバッグ２５をカップ３にセットする。そして、袋体２７の注ぎ口２９にお湯を注ぐことにより、カップ３内にドリップ式によりコーヒーを抽出することができる。
【００４７】
また、ドリップバッグ２５にあっては、第１懸架部材３１と第２懸架部材３５の並行状態、第１補強部材３９と第２補強部材４３の並行状態を保ちつつ、第１懸架部材３１を袋体２７のひねりを解く方向へ第２懸架部材３５に対して相対的に移動させることによって袋体２７の注ぎ口２９が開放するようになっているため、袋体２７の注ぎ口２９にお湯を注ぐ間、第１懸架部材３１、第２懸架部材３５、第１補強部材３９、及び第２補強部材４３が折れ曲がるように変形することがなく、袋体２７の注ぎ口２９の開口形状を一定の形状（矩形形状）に保つことができる。
【００４８】
更に、コーヒーの抽出後に、第１懸架部材３１の第１係止爪３３の係止状態、第２懸架部材３５の第２係止爪３７の係止状態、及びトレイ４５の係止状態をそれぞれ解除して、ドリップバッグ２５をカップ３から取り出す。そして、図７に示すように、ドリップバッグ２５を吸水シート部材４７に載置（保持）させることにより、吸水シート部材４７によって袋体２７から漏出した水分を吸水する。これにより、ドリップバッグ２５をカップ３の近傍の皿等に一時的に置いたり又はドリップバッグ２５をゴミ箱等に捨てたりする場合に、袋体２７に残った水分が漏出して、皿、床等に付着することを十分に抑えることができる。
【００４９】
以上如き、第２実施形態に係るドリップバッグ２５によれば、袋体２７の注ぎ口２９にお湯を注ぐ間、第１懸架部材３１等が折れ曲がるように変形することがなく、袋体２７の注ぎ口２９の開口形状を一定の形状に保つことができるため、飲料者によるコーヒーの抽出作業の煩雑化を抑えて、ドリップバッグ２５の取扱性・利便性を十分に高めることができる。
【００５０】
また、ドリップバッグ２５をカップ３の近傍の皿等に一時的に置いたり又はドリップバッグ２５をゴミ箱等に捨てたりする場合に、袋体２７に残った水分が漏出して、皿、床等に付着することを十分に抑えることができるため、コーヒーの抽出に伴う後処理の簡略化を図って、ドリップバッグ２５の取扱性・利便性を更に高めることができる。
【００５１】
なお、本発明は、前述の実施形態の説明に限られるものではなく、例えば、袋体５に内包される飲料原料として、コーヒー粉の他に、紅茶葉、日本茶等の茶葉を用いる等、適宜の変更を行うことにより、その他、種々の態様で実施可能である。また、本発明に包含される権利範囲は、これらの実施形態に限定されないものである。
【図面の簡単な説明】
【００５２】
【図１】第１実施形態に係るドリップバッグの斜視図であって、袋体の注ぎ口を開放した状態を示している。
【図２】第１実施形態に係るドリップバッグの斜視図であって、袋体の注ぎ口を閉じた状態を示している。
【図３】第１実施形態に係るドリップバッグをカップにセットした状態を示す斜視図である。
【図４】第２実施形態に係るドリップバッグの斜視図であって、袋体の注ぎ口を開放した状態を示している。
【図５】第２実施形態に係るドリップバッグの斜視図であって、袋体の注ぎ口を閉じた状態を示している。
【図６】第２実施形態に係るドリップバッグをカップにセットした状態を示す斜視図である。
【図７】コーヒーの抽出後における第２実施形態に係るドリップバッグの斜視図である。
【符号の説明】
【００５３】
Ｍ          コーヒー粉（抽出原料）
１          ドリップバッグ
３          カップ
５          袋体
７          注ぎ口
９          第１懸架部材
１１          第１係止爪
１５          第２懸架部材
１７          第２係止爪
２１          第１補強部材
２３          第２補強部材
２５          ドリップバッグ
２７          袋体
２９          注ぎ口
３１          第１懸架部材
３３          第１係止爪
３５          第２懸架部材
３７          第２係止爪
３９          第１補強部材
４３          第２補強部材
４５          トレイ
４７          吸水シート部材
【図１】
2010011933.tif 000003
【図２】
2010011933.tif 000004
【図３】
2010011933.tif 000005
【図４】
2010011933.tif 000006
【図５】
2010011933.tif 000007
【図６】
2010011933.tif 000008
【図７】
2010011933.tif 000009